(57)【要約】【課題】携帯端末装置のユーザの意志にかかわらず、特定の通信装置のユーザが携帯端末装置の通信履歴を監視すること。【解決手段】第１携帯端末装置１１０は、ＰＣ端末装置１２０または第２携帯端末装置１３０（不特定の端末装置）との通信の履歴情報を取得し、取得した履歴情報を記憶する。第１携帯端末装置１１０は、ユーザ設定不能な履歴情報送信条件を満たした場合に、記憶した履歴情報を読み出して第３携帯端末装置１５０（特定の通信装置）へ送信する。【選択図】図１
2010004333.tif 000002
【特許請求の範囲】
【請求項１】
特定の通信装置と通信可能な携帯端末装置において、
不特定の端末装置との通信の履歴情報を取得する取得手段と、
前記取得手段によって取得された履歴情報を記憶する記憶手段と、
ユーザ設定不能な履歴情報送信条件を満たした場合に、前記記憶手段によって記憶された履歴情報を読み出す読出手段と、
前記読出手段によって読み出された履歴情報を前記特定の通信装置へ送信する送信手段と、
を備えることを特徴とする携帯端末装置。
【請求項２】
前記特定の通信装置からのファイル要求信号を受信する受信手段を備え、
前記取得手段は、前記不特定の端末装置との間で送受信された送受信ファイルを前記履歴情報とともに取得し、
前記記憶手段は、前記取得手段によって取得された送受信ファイルを前記履歴情報と対応付けて記憶し、
前記読出手段は、前記受信手段によって前記ファイル要求信号が受信された場合に、前記記憶手段によって記憶された送受信ファイルを読み出し、
前記送信手段は、前記読出手段によって読み出された送受信ファイルを前記特定の通信装置へ送信することを特徴とする請求項１に記載の携帯端末装置。
【請求項３】
特定の通信装置と通信可能な携帯端末装置を、
不特定の端末装置との通信の履歴情報を取得する取得手段、
前記取得手段によって取得された履歴情報を記憶する記憶手段、
ユーザ設定不能な履歴情報送信条件を満たした場合に、前記記憶手段によって記憶された履歴情報を読み出す読出手段、
前記読出手段によって読み出された履歴情報を前記特定の通信装置へ送信する送信手段、
として機能させることを特徴とする履歴情報送信プログラム。
【請求項４】
不特定の端末装置との通信の履歴情報を取得し、ユーザ設定不能な履歴情報送信条件を満たした場合に、取得した履歴情報を特定の通信装置へ送信する携帯端末装置と、
前記携帯端末装置によって送信された履歴情報を受信し、受信した履歴情報を出力する特定の通信装置と、
を備えることを特徴とする通信システム。
【請求項５】
不特定の端末装置と携帯端末装置との通信の履歴情報を前記携帯端末装置によって取得する取得工程と、
ユーザ設定不能な履歴情報送信条件を満たした場合に、前記取得工程によって取得された履歴情報を前記携帯端末装置から特定の通信装置へ送信する送信工程と、
前記送信工程によって送信された履歴情報を前記特定の通信装置によって受信する受信工程と、
前記受信工程によって受信された履歴情報を前記特定の通信装置によって出力する出力工程と、
を含むことを特徴とする通信方法。
【発明の詳細な説明】
【技術分野】
【０００１】
この発明は、他の端末装置と通信を行う携帯端末装置、履歴情報送信プログラム、通信システムおよび通信方法に関する。
【背景技術】
【０００２】
近年、子供向け携帯電話機の発売もあり、携帯電話が子供にも普及してきた。また、通話機能だけではなく、インターネットなどのネットワークに接続する機能を備える携帯電話機が一般的になってきた。その中で、子供が携帯電話に絡んだトラブルに巻き込まれるケースも増加し、子供の安心、安全をどのように確保するかが問題となっている。
【０００３】
一方で、携帯電話機は、その多機能化に伴い、ＩｒＤＡ（Ｉｎｆｒａｒｅｄ  Ｄａｔａ  Ａｓｓｏｃｉａｔｉｏｎ）などの赤外線通信や、Ｂｌｕｅｔｏｏｔｈ（登録商標）通信などの近距離通信機能を搭載するものが多くなってきた（たとえば、下記特許文献１参照）。今後もますます多機能化が進むことが考えられ、あらたな近距離通信方式が携帯電話機に搭載されることも予想される。
【０００４】
【特許文献１】特開２００２−１４２２６４号公報
【発明の開示】
【発明が解決しようとする課題】
【０００５】
しかしながら、従来の携帯電話機では、携帯電話機が、どのような相手とどのようなデータを送受信したかを、第三者が監視することができないという問題がある。たとえば、携帯電話機を所有する子供がその携帯電話機を用いてどのような通信を行ったかを、親が監視することができないという問題がある。これは、セキュリティを確保するために、携帯電話の通信履歴情報に第三者がアクセスできない仕組みになっていることに起因する。
【０００６】
しかし、親などの保護者には、子供が非行に走ることやトラブルに巻き込まれることを未然に防ぐために、子供が携帯電話機を用いて、不特定の端末装置とどのような通信を行ったかを監視したいという要望がある。このため、親などの特定の者だけは、子供が所有する携帯電話機の通信履歴情報を閲覧することができる仕組みが望まれる。
【０００７】
また、携帯電話機を操作して、通信履歴情報を親などが所有する通信装置、たとえばパーソナルコンピュータや携帯電話機へ送信することも考えられる。しかし、子供が、監視が必要となるような望ましくない通信（わいせつ画像の送受信など）を行った場合に、自ら進んで通信履歴情報を送信する操作を行うことは期待できないと考えられる。また、望ましくない通信を行った場合に、子供が、通信履歴情報を消去するなどの隠蔽工作を行うことも考えられる。
【０００８】
また、サーバを介さずに直接通信を行う近距離通信の場合は、サーバに通信履歴情報が残らない。また、近距離通信の場合は、通信相手の端末装置との接続が確立されたことを確認してからデータの送受信を行うため、携帯電話機内にも通信履歴情報が残らない。このため、携帯電話による通信内容を第三者が監視することができないという問題がある。
【０００９】
この携帯端末装置、履歴情報送信プログラム、通信システムおよび通信方法は、上述した従来技術による問題点を解消するため、携帯端末装置のユーザの意志にかかわらず、特定の通信装置のユーザが携帯端末装置の通信履歴を監視することを目的とする。
【課題を解決するための手段】
【００１０】
上述した課題を解決し、目的を達成するため、この携帯端末装置は、特定の通信装置と通信可能な携帯端末装置において、不特定の端末装置との通信の履歴情報を取得し、取得された履歴情報を記憶し、ユーザ設定不能な履歴情報送信条件を満たした場合に、記憶された履歴情報を読み出し、読み出された履歴情報を前記特定の通信装置へ送信することを要件とする。
【００１１】
この携帯端末装置によれば、不特定の端末装置との通信の履歴情報を、あらかじめ設定された履歴情報送信条件を満たした場合に、特定の通信装置へ自動的に送信することができる。
【発明の効果】
【００１２】
この携帯端末装置、履歴情報送信プログラム、通信システムおよび通信方法によれば、携帯端末装置のユーザの意志にかかわらず、特定の通信装置のユーザが携帯端末装置の通信履歴を監視することができるという効果を奏する。
【発明を実施するための最良の形態】
【００１３】
以下に添付図面を参照して、この携帯端末装置、履歴情報送信プログラム、通信システムおよび通信方法の好適な実施の形態を詳細に説明する。この携帯端末装置、履歴情報送信プログラム、通信システムおよび通信方法では、ユーザ設定不能な履歴情報送信条件を満たした場合に通信の履歴情報を特定の通信装置へ送信することで、携帯端末装置のユーザの意志にかかわらず、携帯端末装置の通信を特定の通信装置によって監視することができる。
【００１４】
（通信システムの概要）
図１は、通信システムの概要を示す図である。図１に示すように、通信システム１００は、第１携帯端末装置１１０と、ＰＣ端末装置１２０と、第２携帯端末装置１３０と、通信センタ１４０と、第３携帯端末装置１５０と、を備えている。第１携帯端末装置１１０、ＰＣ端末装置１２０、第２携帯端末装置１３０、通信センタ１４０および第３携帯端末装置１５０は、互いに無線通信を行う無線通信装置である。
【００１５】
第１携帯端末装置１１０は、通信履歴の監視対象となる携帯端末装置である。第１携帯端末装置１１０は、たとえば、親による通信履歴の監視が必要な子供が所有する携帯端末装置（子供向け携帯電話など）である。第１携帯端末装置１１０は、通信センタ１４０を介して第３携帯端末装置１５０と通信可能である。
【００１６】
また、第１携帯端末装置１１０は、近距離通信の機能を備えており、ＰＣ端末装置１２０や第２携帯端末装置１３０と近距離通信が可能である。近距離通信とは、サーバを介さずに他の通信装置と直接データを送受信する通信である。近距離通信は、たとえば赤外線通信（ＩｒＤＡなど）やブルートゥース（Ｂｌｕｅｔｏｏｔｈ）通信である。
【００１７】
ＰＣ端末装置１２０および第２携帯端末装置１３０は、第１携帯端末装置１１０との間で近距離通信が可能な不特定の端末装置である。不特定の端末装置とは、第３携帯端末装置１５０のユーザ（親）が関知しないところで第１携帯端末装置１１０が通信可能な端末装置である。不特定の端末装置とは、たとえば、第１携帯端末装置１１０のユーザ（子供）の友人の携帯端末装置や、公共の場所に設置された情報端末装置である。
【００１８】
通信センタ１４０は、第１携帯端末装置１１０と第３携帯端末装置１５０の間で行われる無線通信を中継する。第３携帯端末装置１５０は、第１携帯端末装置１１０の通信履歴を監視することができる特定の通信装置である。第３携帯端末装置１５０は、たとえば、第１携帯端末装置１１０のユーザ（子供）の親が所有する携帯端末装置である。
【００１９】
第１携帯端末装置１１０は、ＰＣ端末装置１２０や第２携帯端末装置１３０との近距離通信の履歴情報を取得し、取得した履歴情報を内部メモリに記憶する。また、第１携帯端末装置１１０は、ユーザ設定不能な履歴情報送信条件を満たした場合に、内部メモリに記憶した履歴情報を読み出す。そして、第１携帯端末装置１１０は、読み出した履歴情報を、特定の通信装置である第３携帯端末装置１５０へ通信センタ１４０を介して送信する。
【００２０】
ユーザ設定不能な履歴情報送信条件とは、第１携帯端末装置１１０の内部メモリにあらかじめ設定され、第１携帯端末装置１１０のユーザ（子供）の操作によっては設定変更することができない条件である。履歴情報送信条件は、たとえば、第１携帯端末装置１１０を子供に所有させるよりも前に、第１携帯端末装置１１０の内部メモリに設定される。
【００２１】
または、履歴情報送信条件は、第１携帯端末装置１１０を子供に所有させるよりも前または後に、第１携帯端末装置１１０の外部（通信センタ１４０や第３携帯端末装置１５０など）からの遠隔操作によって設定可能にしてもよい。具体的には、外部から第１携帯端末装置１１０へ特定の信号を送信することで、第１携帯端末装置１１０の内部メモリに履歴情報送信条件が自動的に設定されるように第１携帯端末装置１１０を構成しておく。
【００２２】
履歴情報送信条件の内容は、たとえば、第１携帯端末装置１１０の外部（たとえば通信センタ１４０）からの履歴要求信号を受信したことである。この場合は、第３携帯端末装置１５０が、履歴要求依頼信号を通信センタ１４０へ送信する。履歴要求依頼信号には、第１携帯端末装置１１０を履歴要求先として特定する情報と、この携帯端末装置に対して履歴要求信号を送信することを依頼する旨の情報と、が含まれている。
【００２３】
通信センタ１４０の内部メモリには、第１携帯端末装置１１０の通信の履歴情報を取得する取得権限のある通信装置として第３携帯端末装置１５０があらかじめ登録されている。通信センタ１４０は、第３携帯端末装置１５０から履歴要求依頼信号を受信すると、履歴要求依頼信号の送信元の第３携帯端末装置１５０が、第１携帯端末装置１１０の通信の履歴情報を取得する取得権限のある通信装置として登録されているかの認証を行う。
【００２４】
ここでは、第１携帯端末装置１１０の通信の履歴情報を取得する取得権限のある通信装置として第３携帯端末装置１５０が登録されているため、通信センタ１４０は履歴要求信号を第１携帯端末装置１１０へ送信する。第１携帯端末装置１１０は、履歴要求信号を受信すると、内部メモリに記憶した履歴情報を読み出して通信センタ１４０へ送信する。
【００２５】
通信センタ１４０は、履歴要求信号を送信した結果、第１携帯端末装置１１０から履歴情報を受信し、受信した履歴情報を、履歴要求依頼信号の送信元の第３携帯端末装置１５０へ転送する。第３携帯端末装置１５０は、通信センタ１４０から転送された履歴情報を受信し、受信した履歴情報をユーザインターフェースから出力する。たとえば、第３携帯端末装置１５０は、受信した履歴情報を第３携帯端末装置１５０の表示画面に表示する。
【００２６】
ここでは、履歴情報送信条件の内容が、外部からの履歴要求信号を受信したことである場合について説明したが、履歴情報送信条件はこれに限られない。たとえば、第１携帯端末装置１１０が、時刻を計時する計時手段を備え、履歴情報送信条件は、計時手段によって計時される時刻があらかじめ定められた所定時刻になることでもよい。
【００２７】
または、第１携帯端末装置１１０が、ユーザによる第１携帯端末装置１１０に対する操作を検出する検出手段を備え、履歴情報送信条件は、検出手段によってあらかじめ定められた所定の操作が検出されたことでもよい。または、履歴情報送信条件は、第１携帯端末装置１１０の内部メモリに履歴情報があらたに記憶されたことでもよい。
【００２８】
（携帯端末装置のハードウェア構成）
図２は、図１に示した第１携帯端末装置１１０のハードウェア構成を示すブロック図である。図２に示すように、第１携帯端末装置１１０（図１参照）は、ＣＰＵ２１１と、メモリ２１２と、ネットワーク通信インターフェース２１３（ネットワーク通信Ｉ／Ｆ）と、ユーザインターフェース２１４（ユーザＩ／Ｆ）と、近距離通信インターフェース２１５（近距離通信Ｉ／Ｆ）と、を備えている。
【００２９】
ＣＰＵ２１１、メモリ２１２、ネットワーク通信インターフェース２１３、ユーザインターフェース２１４および近距離通信インターフェース２１５は、バス２３０を介して互いに接続されている。ＣＰＵ２１１（Ｃｅｎｔｒａｌ  Ｐｒｏｃｅｓｓｉｎｇ  Ｕｎｉｔ）は、第１携帯端末装置１１０の全体の制御を司る。
【００３０】
メモリ２１２は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤ（Ｈａｒｄ  Ｄｉｓｋ）、光ディスク、フラッシュメモリなどである。メモリ２１２はＣＰＵ２１１のワークエリアとして使用される。また、メモリ２１２には各種プログラムが格納されている。メモリ２１２に格納された各種プログラムは、ＣＰＵ２１１からの命令に応じてロードされる。
【００３１】
ネットワーク通信インターフェース２１３は、ネットワーク２２０を介して通信センタ１４０（図１参照）との間で通信を行うモジュールである。ネットワーク通信インターフェース２１３は、たとえば、ＮＩＣ（Ｎｅｔｗｏｒｋ  Ｉｎｔｅｒｆａｃｅ  Ｃａｒｄ）や、無線通信を行うためのアンテナなどである。
【００３２】
ユーザインターフェース２１４は、ユーザとの間で情報の入出力を行う。ユーザインターフェース２１４は、ユーザからの入力を受け付ける各種キー、タッチパネルまたはマイクなどを備えている。また、ユーザインターフェース２１４は、ユーザへ情報を出力する表示画面、発光部またはスピーカなどを備えている。
【００３３】
近距離通信インターフェース２１５は、赤外線通信やブルートゥース通信などの近距離通信を行うモジュールである。ここでは第１携帯端末装置１１０のハードウェア構成の一例について説明したが、図１に示した通信センタ１４０および第３携帯端末装置１５０のそれぞれも、たとえば図２に示したハードウェア構成によって実現することができる。
【００３４】
（実施の形態１）
図３は、実施の形態１にかかる通信システム１００の機能的構成を示すブロック図である。図３において、図１に示した構成と同様の構成については同一の符号を付して説明を省略する。第１携帯端末装置１１０は、近距離通信部３１１と、近距離通信情報管理部３１２と、記憶部３１３と、ネットワーク通信部３１４と、を備えている。
【００３５】
近距離通信部３１１は、第２携帯端末装置１３０との間で近距離通信を行う。近距離通信部３１１は、第２携帯端末装置１３０との間で行った近距離通信の履歴情報と、その近距離通信によって第２携帯端末装置１３０との間で送受信した送受信ファイルと、を近距離通信情報管理部３１２へ出力する。近距離通信部３１１は、たとえば図２に示した近距離通信インターフェース２１５によって実現される。
【００３６】
近距離通信情報管理部３１２は、履歴情報と送受信ファイルとが近距離通信部３１１から出力されるたびに、出力された履歴情報と送受信ファイルとを取得する。近距離通信情報管理部３１２は、取得した履歴情報と送受信ファイルとを対応付けて記憶部３１３に記憶させる。また、近距離通信情報管理部３１２は、ユーザ設定不能な履歴情報送信条件を満たした場合に、記憶部３１３に記憶されている各履歴情報を読み出す（読出手段）。
【００３７】
ここでは、履歴情報送信条件は、ネットワーク通信部３１４から履歴要求信号が出力されることであるとする。近距離通信情報管理部３１２は、ネットワーク通信部３１４から履歴要求信号が出力された場合に、記憶部３１３に記憶されている各履歴情報を読み出す。そして、近距離通信情報管理部３１２は、読み出した各履歴情報を含む履歴情報リストを作成し、作成した履歴情報リストをネットワーク通信部３１４へ出力する。
【００３８】
また、近距離通信情報管理部３１２は、ネットワーク通信部３１４からファイル要求信号が出力されると、ファイル要求信号が示す送受信ファイルを記憶部３１３から読み出し、読み出した送受信ファイルをネットワーク通信部３１４へ出力する。近距離通信情報管理部３１２は、たとえば図２に示したＣＰＵ２１１によって実現される。
【００３９】
記憶部３１３は、近距離通信情報管理部３１２からの書き込み制御によってデータを記憶する（記憶手段）。また、記憶部３１３は、近距離通信情報管理部３１２からの読み出し制御によって、記憶しているデータを近距離通信情報管理部３１２へ出力する。記憶部３１３は、たとえば図２に示したメモリ２１２によって実現される。
【００４０】
ネットワーク通信部３１４は、通信センタ１４０との間で通信を行う。ネットワーク通信部３１４は、近距離通信情報管理部３１２から出力された履歴情報リストを通信センタ１４０へ送信する（送信手段）。また、ネットワーク通信部３１４は、近距離通信情報管理部３１２から出力された送受信ファイルを通信センタ１４０へ送信する。
【００４１】
ネットワーク通信部３１４は、履歴情報リストまたは送受信ファイルを、ユーザインターフェースを介さずに送信するようにしてもよい。ユーザインターフェースを介さずに送信とは、ユーザの操作（入力）にかかわらず、かつ、ユーザに対して通知（出力）することなく、内部処理のみによって（バックグラウンドで）送信することをいう。
【００４２】
また、ネットワーク通信部３１４は、通信センタ１４０から履歴要求信号を受信すると、受信した履歴要求信号を近距離通信情報管理部３１２へ出力する。また、ネットワーク通信部３１４は、通信センタ１４０からファイル要求信号を受信すると、受信したファイル要求信号を近距離通信情報管理部３１２へ出力する。ネットワーク通信部３１４は、たとえば図２に示したネットワーク通信インターフェース２１３によって実現される。
【００４３】
第２携帯端末装置１３０は、近距離通信部３１１と同じ方式の近距離通信部３３１を備えている。たとえば、近距離通信部３１１が赤外線通信方式（ＩｒＤＡ）の通信部である場合は、近距離通信部３３１も赤外線通信方式（ＩｒＤＡ）の通信部である。この場合は、近距離通信部３１１と近距離通信部３３１の間で赤外線通信を行う。
【００４４】
通信センタ１４０は、ネットワーク通信部３４１と、管理部３４２と、記憶部３４３と、を備えている。ネットワーク通信部３４１は、第１携帯端末装置１１０および通信センタ１４０と通信を行う。ネットワーク通信部３４１は、第３携帯端末装置１５０から履歴要求依頼信号を受信すると、受信した履歴要求依頼信号を管理部３４２へ出力する。
【００４５】
また、ネットワーク通信部３４１は、管理部３４２から出力された第１携帯端末装置１１０を宛先とする履歴要求信号を第１携帯端末装置１１０へ送信する。また、ネットワーク通信部３４１は、第３携帯端末装置１５０からファイル要求依頼信号を受信すると、受信したファイル要求依頼信号を管理部３４２へ出力する。
【００４６】
また、ネットワーク通信部３４１は、管理部３４２から出力された第１携帯端末装置１１０を宛先とするファイル要求信号を第１携帯端末装置１１０へ送信する。また、ネットワーク通信部３４１は、第１携帯端末装置１１０から履歴情報リストを受信すると、受信した履歴情報リストを管理部３４２へ出力する。
【００４７】
また、ネットワーク通信部３４１は、管理部３４２から出力された履歴情報リストを第３携帯端末装置１５０へ送信する。また、ネットワーク通信部３４１は、第１携帯端末装置１１０から送受信ファイルを受信すると、受信した送受信ファイルを管理部３４２へ出力する。また、ネットワーク通信部３４１は、管理部３４２から出力された送受信ファイルを第３携帯端末装置１５０へ送信する。ネットワーク通信部３４１は、たとえば図２に示したネットワーク通信インターフェース２１３によって実現される。
【００４８】
管理部３４２は、ネットワーク通信部３４１から履歴要求依頼信号が出力されると、履歴要求依頼信号の送信元が、履歴要求先の端末装置の通信の履歴情報を取得する取得権限のある通信装置として登録されているか否かの認証を行う。具体的には、記憶部３４３には、履歴要求先となる端末装置と、その端末装置の通信の履歴情報を取得する取得権限を有する通信装置と、が対応付けて記憶されている。
【００４９】
管理部３４２は、履歴要求依頼信号の履歴要求先（ここでは第１携帯端末装置１１０）と、履歴要求依頼信号の送信元（ここでは第３携帯端末装置１５０）と、が記憶部３４３において対応付けられているか否かを判断する。履歴要求先と送信元が対応付けられている場合は、管理部３４２は、履歴要求先（ここでは第１携帯端末装置１１０）を宛先とする履歴要求信号をネットワーク通信部３４１へ出力する。
【００５０】
一方、履歴要求先と送信元が対応付けられていない場合は、管理部３４２は、履歴要求信号をネットワーク通信部３４１へ出力しない。この場合は、ネットワーク通信部３４１を介して第３携帯端末装置１５０へエラーメッセージを送信してもよい。第３携帯端末装置１５０は、受信したエラーメッセージを、ネットワーク通信部３５３、管理部３５２を介して出力部３５４から出力する。
【００５１】
また、管理部３４２は、ネットワーク通信部３４１から出力された履歴情報リストをネットワーク通信部３５３へ出力する。これにより、第１携帯端末装置１１０から送信された履歴情報リストは第３携帯端末装置１５０へ転送される。
【００５２】
また、管理部３４２は、ネットワーク通信部３４１からファイル要求依頼信号が出力されると、ファイル要求依頼信号が示すファイル要求先（ここでは第１携帯端末装置１１０）を宛先とし、ファイル要求依頼信号に格納されている、送受信ファイルを特定する情報を格納したファイル要求信号をネットワーク通信部３４１へ出力する。
【００５３】
また、管理部３４２は、ネットワーク通信部３４１から出力された送受信ファイルをネットワーク通信部３５３へ出力する。これにより、第１携帯端末装置１１０から送信された送受信ファイルは第３携帯端末装置１５０へ転送される。
【００５４】
また、管理部３４２は、ネットワーク通信部３４１からファイル要求依頼信号が出力された場合に、ファイル要求依頼信号の送信元が、ファイル要求先の端末装置の送受信ファイルを取得する取得権限のある通信装置として登録されているかの認証を行ってもよい。この認証は、上述した履歴情報リストの取得権限の認証と同様の認証を再度行ってもよいし、上述した取得権限の認証とは別の認証をさらに行ってもよい。
【００５５】
第３携帯端末装置１５０は、入力部３５１と、管理部３５２と、ネットワーク通信部３５３と、出力部３５４と、を備えている。入力部３５１には、ユーザからの操作によってコマンドが入力される。入力部３５１は、たとえば図２に示したユーザインターフェース２１４（各種キーなど）によって実現される。入力部３５１には、ユーザによって、第１携帯端末装置１１０を対象とする履歴要求コマンドが入力される。
【００５６】
入力部３５１は、入力された第１携帯端末装置１１０を対象とする履歴要求コマンドを管理部３５２へ出力する。また、入力部３５１には、ユーザによって、第１携帯端末装置１１０を対象とするファイル要求コマンドが入力される。
【００５７】
ファイル要求コマンドには、送受信ファイルの送信を要求するファイル要求先の端末装置（ここでは第１携帯端末装置１１０）を特定する情報と、送信を要求する送受信ファイルを特定する情報と、が含まれている。入力部３５１は、入力された第１携帯端末装置１１０を対象とするファイル要求コマンドを管理部３５２へ出力する。
【００５８】
管理部３５２は、第１携帯端末装置１１０を対象とする履歴要求コマンドが入力部３５１から出力されると、第１携帯端末装置１１０を履歴要求先とする履歴要求依頼信号をネットワーク通信部３５３へ出力する。また、管理部３５２は、ネットワーク通信部３５３から出力された履歴情報リストを出力部３５４へ出力する。
【００５９】
また、管理部３５２は、第１携帯端末装置１１０を対象とするファイル要求コマンドが入力部３５１から出力されると、第１携帯端末装置１１０をファイル要求先とするファイル要求依頼信号をネットワーク通信部３５３へ出力する。ファイル要求依頼信号には、送信を要求する送受信ファイルを特定する情報が格納されている。また、管理部３５２は、ネットワーク通信部３５３から出力された送受信ファイルを出力部３５４へ出力する。
【００６０】
ネットワーク通信部３５３は、第１携帯端末装置１１０との間で通信を行う。ネットワーク通信部３５３は、管理部３５２から出力された第１携帯端末装置１１０を要求対象とする履歴要求依頼信号を通信センタ１４０へ送信する。また、ネットワーク通信部３５３は、通信センタ１４０から送信された履歴情報リストを受信する。ネットワーク通信部３５３は、受信した履歴情報リストを管理部３５２へ出力する。
【００６１】
また、ネットワーク通信部３５３は、管理部３５２から出力された第１携帯端末装置１１０をファイル要求先とするファイル要求依頼信号を通信センタ１４０へ送信する。また、ネットワーク通信部３５３は、通信センタ１４０から送信された送受信ファイルを受信し、受信した送受信ファイルを管理部３５２へ出力する。ネットワーク通信部３５３は、たとえば図２に示したネットワーク通信インターフェース２１３によって実現される。
【００６２】
出力部３５４は、管理部３５２から出力された履歴情報リストを出力する。また、出力部３５４は、管理部３５２から出力された送受信ファイルを出力する。出力部３５４は、たとえば図２に示したユーザインターフェース２１４によって実現される。たとえば、出力部３５４は表示画面である。この場合は、出力部３５４は、管理部３５２から出力された履歴情報リストや送受信ファイルを、ユーザが閲覧可能なように表示する。
【００６３】
図４は、図３に示した記憶部３１３に記憶される情報の一例を示す図である。テーブル４００は、図３に示した記憶部３１３に記憶される情報の一例である。テーブル４００は、近距離通信部３１１が行う一回の近距離通信に関する情報である。テーブル４００には、識別子４１１と、送受信ファイルＩＤ４１２と、履歴情報４１３と、が含まれている。
【００６４】
識別子４１１は、近距離通信部３１１が行った各近距離通信を識別するための識別子である。送受信ファイルＩＤ４１２は、識別子４１１によって識別される近距離通信によって送受信された送受信ファイルの管理ＩＤである。送受信ファイルＩＤ４１２は、記憶部３１３に記憶された送受信ファイルのうちの、識別子４１１によって識別される近距離通信によって送受信された送受信ファイルに対応付けられている。
【００６５】
履歴情報４１３は、識別子４１１によって識別される近距離通信の履歴情報である。履歴情報４１３は、たとえば、通信日時、通信時間、通信サイズ、送受信ファイルの名称などである。このように、テーブル４００においては、送受信ファイルＩＤ４１２と履歴情報４１３が、識別子４１１によって対応付けられて格納されている。
【００６６】
テーブル４００は、近距離通信部３１１が近距離通信を行うたびに、近距離通信情報管理部３１２によって記憶部３１３にあらたに記憶される。近距離通信情報管理部３１２は、記憶部３１３に記憶された複数のテーブル４００をまとめることによって履歴情報リストを作成する。履歴情報リストは、テーブル４００の情報をすべて含むリストでもよいし、履歴情報４１３におけるいずれかの項目を省いた情報を含むリストでもよい。
【００６７】
通信センタ１４０からのファイル要求信号には、送信を要求する送受信ファイルを特定する情報として、たとえば識別子４１１が格納されている。近距離通信情報管理部３１２は、記憶部３１３に記憶された各テーブル４００のうちの、ファイル要求信号に格納されている識別子４１１を含むテーブル４００の送受信ファイルＩＤ４１２に対応付けられた送受信ファイルを記憶部３１３から読み出してネットワーク通信部３１４へ出力する。
【００６８】
図５は、図４に示した履歴情報の具体例を示す図である。図５において、図４に示した部分と同様の部分については同一の符号を付して説明を省略する。図５に示すテーブル４００は、履歴情報４１３（図４参照）の具体例として、通信先情報５１１、通信日時５１２、通信時間５１３、通信サイズ５１４および送受信ファイル名５１５を含んでいる。
【００６９】
通信先情報５１１は、識別子４１１によって識別される近距離通信における近距離通信部３１１の通信相手の情報である。たとえば、通信相手が携帯電話端末の場合は、通信先情報５１１は電話番号（たとえば「０９０１２３４５６７８」）である。また、通信相手がＰＣ端末の場合は、通信先情報５１１はＰＣ端末名（たとえばＩＰアドレス）である。
【００７０】
通信日時５１２は、識別子４１１によって識別される近距離通信を近距離通信部３１１が行った日時である。通信日時５１２は、たとえば「２００７／０１／０１  ００：００：００」のように記憶される。通信時間５１３は、識別子４１１によって識別される近距離通信を近距離通信部３１１が行った時間の長さである。通信時間５１３は、たとえば「００：１０：００」のように記憶される。
【００７１】
通信サイズ５１４は、識別子４１１によって識別される近距離通信において近距離通信部３１１が送受信したデータの容量である。通信サイズ５１４は、たとえば「ＸＸＸＢｙｔｅ」のように記憶される。送受信ファイル名５１５は、識別子４１１によって識別される近距離通信において近距離通信部３１１が送受信した送受信ファイルの名称である。送受信ファイル名５１５は、たとえば「ＴＥＳＴ．ｊｐｇ」のように記憶される。
【００７２】
図６は、実施の形態１にかかる通信システム１００の履歴情報取得動作の一例を示すシーケンス図である。まず、第１携帯端末装置１１０のユーザの操作によって、第１携帯端末装置１１０の近距離通信部３１１と第２携帯端末装置１３０の間で近距離通信を行う（ステップＳ６０１）。つぎに、近距離通信部３１１が、ステップＳ６０１によって行った近距離通信の履歴情報と、近距離通信によって送受信した送受信ファイルと、を近距離通信情報管理部３１２へ出力する（ステップＳ６０２）。
【００７３】
つぎに、近距離通信情報管理部３１２が、ステップＳ６０２によって出力された履歴情報と送受信ファイルを記憶部３１３に記憶させ（ステップＳ６０３）、一連の処理を終了する。以上の各ステップを繰り返すことにより、第１携帯端末装置１１０が近距離通信を行うたびに、その近距離通信の履歴情報と送受信ファイルが記憶部３１３に記憶される。
【００７４】
また、ステップＳ６０３の後に、近距離通信情報管理部３１２が、そのときに記憶部３１３に記憶されている各履歴情報の合計サイズを算出し、算出した合計サイズが閾値を超えるか否かを判断してもよい。算出した合計サイズが閾値を超える場合は、近距離通信情報管理部３１２は、記憶部３１３に記憶されている各履歴情報のうちの古い履歴情報から順に、合計サイズが閾値以下になるまで削除する。
【００７５】
これにより、記憶部３１３の容量が小さくても、常に新しい履歴情報を記憶部３１３に記憶しておくことができる。また、記憶部３１３に記憶されている各送受信ファイルに対しても同様に、近距離通信情報管理部３１２が、各送受信ファイルの合計サイズを算出し、算出した合計サイズが閾値以下になるまで送受信ファイルを古い順に削除してもよい。
【００７６】
図７は、実施の形態１にかかる通信システム１００の履歴情報送信動作の一例を示すシーケンス図である。図６に示した履歴情報取得動作の後に、ユーザの操作によって第３携帯端末装置１５０から通信センタ１４０へ履歴要求依頼信号を送信する（ステップＳ７０１）。つぎに、通信センタ１４０が、第１携帯端末装置１１０の履歴情報の取得権限を第３携帯端末装置１５０が有するか否かの認証を行う（ステップＳ７０２）。
【００７７】
ステップＳ７０２において、通信センタ１４０は、第３携帯端末装置１５０が取得権限を有することを確認できなかった場合には、通信センタ１４０から第３携帯端末装置１５０へエラーメッセージを送信して処理を終了する。ここでは、通信センタ１４０が、第３携帯端末装置１５０が取得権限を有することを確認したとする。
【００７８】
つぎに、通信センタ１４０が、第１携帯端末装置１１０のネットワーク通信部３１４へ履歴要求信号を送信する（ステップＳ７０３）。つぎに、ステップＳ７０３によって送信された履歴要求信号を、ネットワーク通信部３１４が近距離通信情報管理部３１２へ出力する（ステップＳ７０４）。つぎに、近距離通信情報管理部３１２が、記憶部３１３に記憶されている各履歴情報を読み出して履歴情報リストを作成する（ステップＳ７０５）。
【００７９】
つぎに、ステップＳ７０５によって作成された履歴情報リストを、近距離通信情報管理部３１２がネットワーク通信部３１４へ出力する（ステップＳ７０６）。つぎに、ステップＳ７０６によって出力された履歴情報リストを、ネットワーク通信部３１４が通信センタ１４０へ送信する（ステップＳ７０７）。
【００８０】
つぎに、ステップＳ７０７によって送信された履歴情報リストを、通信センタ１４０が第３携帯端末装置１５０へ転送する（ステップＳ７０８）。つぎに、ステップＳ７０８によって転送された履歴情報リストを、第３携帯端末装置１５０が備える表示画面に表示し（ステップＳ７０９）、一連の処理を終了する。これにより、第３携帯端末装置１５０のユーザ（親）は、第１携帯端末装置１１０の履歴情報リストを閲覧することができる。
【００８１】
図８は、実施の形態１にかかる通信システム１００の送受信ファイル送信動作の一例を示すシーケンス図である。図７に示した履歴情報送信動作の後に、以下の送受信ファイル送信動作を行ってもよい。まず、図７のステップＳ７０９によって履歴情報リストを閲覧した第３携帯端末装置１５０のユーザ（親）は、履歴情報リストに含まれるいずれかの識別子４１１（図４参照）を指定する操作を行う（ステップＳ８０１）。
【００８２】
つぎに、ステップＳ８０１によって指定された識別子４１１を格納したファイル要求依頼信号を、第３携帯端末装置１５０が通信センタ１４０へ送信する（ステップＳ８０２）。つぎに、ステップＳ８０２によって送信されたファイル要求依頼信号に格納されている識別子４１１を格納したファイル要求信号を、通信センタ１４０が第１携帯端末装置１１０のネットワーク通信部３１４へ送信する（ステップＳ８０３）。
【００８３】
つぎに、ステップＳ８０３によって送信されたファイル要求信号を、ネットワーク通信部３１４が近距離通信情報管理部３１２へ出力する（ステップＳ８０４）。つぎに、近距離通信情報管理部３１２が、ステップＳ８０４によって出力されたファイル要求信号に格納されている識別子４１１を含むテーブル４００の送受信ファイルＩＤ４１２に対応付けられた送受信ファイルを記憶部３１３から読み出す（ステップＳ８０５）。
【００８４】
つぎに、ステップＳ８０５によって読み出された送受信ファイルを、近距離通信情報管理部３１２がネットワーク通信部３１４へ出力する（ステップＳ８０６）。つぎに、ステップＳ８０６によって出力された送受信ファイルを、ネットワーク通信部３１４が通信センタ１４０へ送信する（ステップＳ８０７）。
【００８５】
つぎに、ステップＳ８０７によって送信された送受信ファイルを、通信センタ１４０が第３携帯端末装置１５０へ転送する（ステップＳ８０８）。つぎに、ステップＳ８０８によって転送された送受信ファイルを、第３携帯端末装置１５０が備える表示画面に表示し（ステップＳ８０９）、一連の処理を終了する。これにより、第３携帯端末装置１５０のユーザ（親）は、第１携帯端末装置１１０の送受信ファイルを閲覧することができる。
【００８６】
図９は、図６に示した履歴情報取得動作の他の例を示すシーケンス図である。図９に示す各ステップのうちのステップＳ９０１〜Ｓ９０３は、それぞれ図６に示したステップＳ６０１〜Ｓ６０３と同様であるため説明を省略する。ステップＳ９０３の後に、近距離通信情報管理部３１２が、ステップＳ９０３によって記憶部３１３に記憶された履歴情報を読み出してネットワーク通信部３１４へ出力する（ステップＳ９０４）。
【００８７】
つぎに、ステップＳ９０４によって出力された履歴情報を、ネットワーク通信部３１４が通信センタ１４０へ送信する（ステップＳ９０５）。つぎに、通信センタ１４０が、ステップＳ９０５によって送信された履歴情報を受信したことを確認し、送信成功信号を第１携帯端末装置１１０のネットワーク通信部３１４へ送信する（ステップＳ９０６）。送信成功信号には、送信に成功した履歴情報を特定する情報が含まれている。
【００８８】
また、ステップＳ９０６とともに、通信センタ１４０は、ステップＳ９０５によって送信された履歴情報を記憶部３４３に記憶させる（ステップＳ９０７）。ステップＳ９０５において、履歴情報の送信が失敗した場合は送信成功信号が送信されない。ネットワーク通信部３１４は、送信成功信号が送信されるまでステップＳ９０５の処理を繰り返す。
【００８９】
ネットワーク通信部３１４は、送信成功信号が送信されると、送信された送信成功信号を近距離通信情報管理部３１２へ出力する（ステップＳ９０８）。つぎに、近距離通信情報管理部３１２（消去手段）は、記憶部３１３に記憶されている各履歴情報のうちの、ステップＳ９０８によって出力された送信成功信号に含まれる情報によって特定される履歴情報を記憶部３１３から消去し（ステップＳ９０９）、一連の処理を終了する。
【００９０】
このように、履歴情報を取得して記憶部３１３に記憶するたびに、記憶した履歴情報を通信センタ１４０へ送信し、通信センタ１４０の記憶部３４３に履歴情報を記憶させるとともに、送信した履歴情報を消去することで、第１携帯端末装置１１０の記憶部３１３に記憶しておく情報の容量を低減することができる。このため、大容量のメモリを搭載することが困難な第１携帯端末装置１１０の必要なメモリ容量を低減することができる。
【００９１】
図１０は、図７に示した履歴情報送信動作の他の例を示すシーケンス図である。図９に示した履歴情報取得動作の後に、第３携帯端末装置１５０のユーザの操作によって、第３携帯端末装置１５０から通信センタ１４０へ履歴要求信号を送信する（ステップＳ１００１）。つぎに、通信センタ１４０が、第１携帯端末装置１１０の履歴情報の取得権限を第３携帯端末装置１５０が有するか否かの認証を行う（ステップＳ１００２）。
【００９２】
ステップＳ１００２において、通信センタ１４０は、第３携帯端末装置１５０が取得権限を有することを確認できなかった場合には、通信センタ１４０から第３携帯端末装置１５０へエラーメッセージを送信して処理を終了する。ここでは、通信センタ１４０が、第３携帯端末装置１５０が取得権限を有することを確認したとする。
【００９３】
つぎに、通信センタ１４０が、図９のステップＳ９０７によって記憶部３４３に記憶されている各履歴情報を読み出して履歴情報リストを作成する（ステップＳ１００３）。つぎに、ステップＳ７０５によって作成された履歴情報リストを、通信センタ１４０が第３携帯端末装置１５０へ送信する（ステップＳ１００４）。つぎに、ステップＳ１００４によって送信された履歴情報リストを、第３携帯端末装置１５０が備える表示画面に表示し（ステップＳ１００５）、一連の処理を終了する。
【００９４】
これにより、通信センタ１４０は、第１携帯端末装置１１０と通信を行うことなく、自装置で履歴情報リストを作成することができる。このため、第３携帯端末装置１５０からの要求に対して、履歴情報リストを第３携帯端末装置１５０へ送信するまでの時間を短縮することができる。この後に、図８に示した送受信ファイル送信動作を行ってもよい。
【００９５】
このように、実施の形態１にかかる第１携帯端末装置１１０によれば、第２携帯端末装置１３０（不特定の端末装置）との通信の履歴情報を、ユーザ設定不能な履歴情報送信条件を満たした場合に、第３携帯端末装置１５０（特定の通信装置）へ自動的に送信することができる。これにより、第１携帯端末装置１１０のユーザの意志にかかわらず、第３携帯端末装置のユーザが第１携帯端末装置１１０の通信履歴を監視することができる。このため、子供が非行に走ることやトラブルに巻き込まれることを未然に防ぐことができる。
【００９６】
また、第２携帯端末装置１３０との間で送受信された送受信ファイルを履歴情報とともに取得して記憶しておき、ファイル要求信号を受信した場合に送受信ファイルを送信することで、履歴情報は自動的に送信しつつ、送受信ファイルは第３携帯端末装置１５０のユーザが希望したときにのみ送信することができる。このため、たとえば履歴情報とともに送受信ファイルを常に送信する場合に比べて通信量を軽減することができる。
【００９７】
また、第１携帯端末装置１１０と第２携帯端末装置１３０との間の通信が近距離通信である場合は、従来は記憶していなかった近距離通信の履歴情報を記憶するとともに、履歴情報送信条件を満たした場合に、第３携帯端末装置１５０（特定の通信装置）へ自動的に履歴情報を送信することができる。これにより、従来は監視が困難であった近距離通信においても、第１携帯端末装置１１０のユーザの意志にかかわらず、第３携帯端末装置１５０のユーザが第１携帯端末装置１１０の通信履歴を監視することができる。
【００９８】
また、履歴要求信号の受信を履歴情報送信条件とすることで、第３携帯端末装置１５０のユーザが通信履歴の閲覧を希望し、履歴要求依頼信号を送信したときにのみ履歴情報リストを送信することができる。このため、第３携帯端末装置１５０のユーザが希望したときに履歴情報リストを閲覧できるとともに、履歴情報リストの送信回数を必要最小限にして、第１携帯端末装置１１０の処理負担および通信量を低減することができる。
【００９９】
また、第１携帯端末装置１１０が、ユーザインターフェースを介さずに履歴情報リストを送信することで、第１携帯端末装置１１０のユーザに知られることなく、第３携帯端末装置１５０のユーザが第１携帯端末装置１１０の通信履歴を監視することができる。このため、第１携帯端末装置１１０のユーザに対して精神的負荷を与えることなく、第３携帯端末装置１５０のユーザが第１携帯端末装置１１０の通信履歴を監視することができる。
【０１００】
また、第１携帯端末装置１１０が、履歴情報を取得するたびに取得した履歴情報を通信センタ１４０へ送信し、通信センタ１４０に履歴情報を記憶させるとともに、送信した履歴情報を消去する（図９，図１０参照）ことで、第１携帯端末装置１１０の記憶部３１３に記憶しておく情報の容量を低減することができる。このため、大容量のメモリを搭載することが困難な第１携帯端末装置１１０の必要なメモリ容量を低減することができる。
【０１０１】
（実施の形態２）
図１１は、実施の形態２にかかる通信システム１００の機能的構成を示すブロック図である。図１１において、図３に示した構成と同様の構成については同一の符号を付して説明を省略する。図１１に示すように、第１携帯端末装置１１０は、図３に示した構成に加えて履歴送信トリガ部１１１１を備えている。履歴送信トリガ部１１１１は、履歴情報送信条件を満たした場合に、近距離通信情報管理部３１２へトリガ信号を出力する。
【０１０２】
たとえば、履歴送信トリガ部１１１１は、現在時刻を計時する計時手段である。履歴送信トリガ部１１１１は、現在時刻があらかじめ設定された所定時刻になると、近距離通信情報管理部３１２へトリガ信号を出力する。所定時刻は、たとえば毎日の決まった時刻（たとえば毎日１１時）や特定の曜日の決まった時刻（たとえば土曜の１５時）である。または、所定時刻は一定時間ごとの時刻（たとえば１時間ごとの時刻）であってもよい。
【０１０３】
近距離通信情報管理部３１２は、履歴送信トリガ部１１１１からトリガ信号が出力された場合に、記憶部３１３に記憶されている各履歴情報を読み出す。そして、近距離通信情報管理部３１２は、読み出した各履歴情報を含む履歴情報リストを作成し、作成した履歴情報リストをネットワーク通信部３１４へ出力する。これにより、履歴情報リストが通信センタ１４０を介して第３携帯端末装置１５０へ送信される。
【０１０４】
または、履歴送信トリガ部１１１１は、第１携帯端末装置１１０に対するユーザ操作を検出する検出手段であってもよい。履歴送信トリガ部１１１１は、あらかじめ設定された所定のユーザ操作を検出すると、近距離通信情報管理部３１２へトリガ信号を出力する。所定のユーザ操作とは、たとえば特定のキー操作である。
【０１０５】
または、第１携帯端末装置１１０が折りたたみ式の携帯電話である場合には、所定のユーザ操作は、第１携帯端末装置１１０を折りたたむ操作であってもよい。ユーザは、第１携帯端末装置１１０の使用後に第１携帯端末装置１１０を折りたたむと考えられる。このため、第１携帯端末装置１１０を折りたたむ操作をトリガとして履歴情報を送信することで、ユーザ操作による処理とは時間的に重複せずに履歴情報の送信を行うことができる。
【０１０６】
したがって、第１携帯端末装置１１０の情報処理能力が低くても、ユーザ操作による処理に影響を与えることなく履歴情報の送信の処理を行うことができる。さらに、第１携帯端末装置１１０の使用後に履歴情報を送信するため、第１携帯端末装置１１０のユーザに気付かれることなく履歴情報の送信を行うことが容易になる。
【０１０７】
または、所定のユーザ操作は、近距離通信によって送受信された送受信ファイルの隠蔽操作や、近距離通信の履歴情報の隠蔽操作でもよい。隠蔽操作とは、第三者が送受信ファイルまたは履歴情報を閲覧できないようにする操作である。隠蔽操作は、たとえば送受信ファイルまたは履歴情報を消去したり、送受信ファイルまたは履歴情報を閲覧するためのパスワードを設定するなどしてアクセス制限を行う操作である。
【０１０８】
第１携帯端末装置１１０のユーザが送受信ファイルまたは履歴情報を隠蔽する場合には、送受信ファイルまたは履歴情報を第三者に閲覧されたくない場合が多いと考えられる。このため、送受信ファイルまたは履歴情報の隠蔽操作をトリガとして履歴情報を送信することで、第１携帯端末装置１１０のユーザのトラブルに関連する情報を、第３携帯端末装置１５０のユーザが効率よく監視することができる。
【０１０９】
または、履歴送信トリガ部１１１１は、近距離通信情報管理部３１２によって記憶部３１３に履歴情報があらたに記憶されたことを検出する検出手段であってもよい。履歴送信トリガ部１１１１は、記憶部３１３にあらたな履歴情報が記憶されたことを検出すると、近距離通信情報管理部３１２へトリガ信号を出力する。これにより、第１携帯端末装置１１０が近距離通信を行った直後に履歴情報を送信することができる。このため、第３携帯端末装置１５０のユーザがリアルタイムに近距離通信を監視することができる。
【０１１０】
または、履歴送信トリガ部１１１１は、近距離通信情報管理部３１２によって記憶部３１３に履歴情報があらたに記憶された回数を計数する計数手段であってもよい。履歴送信トリガ部１１１１は、記憶部３１３にあらたな履歴情報が所定回数記憶されるごとに、近距離通信情報管理部３１２へトリガ信号を出力する。
【０１１１】
図１２は、図１１に示した記憶部３１３に記憶される情報の一例を示す図である。図１２において、図５に示した部分と同様の部分については同一の符号を付して説明を省略する。図１２に示すテーブル４００は、図５に示した各項目に加えて履歴取得端末１２１１を含んでいる。履歴取得端末１２１１は、テーブル４００の各履歴情報が、いずれの携帯端末装置から取得されたか（ここでは第１携帯端末装置１１０）を示す情報である。
【０１１２】
図１１に示した第１携帯端末装置１１０を備える通信システム１００においては、第３携帯端末装置１５０から履歴要求信号を送信せずに、第１携帯端末装置１１０から第３携帯端末装置１５０へ自動的に履歴情報リストが送信される。このため、履歴情報リストを受信した第３携帯端末装置１５０側で、受信した履歴情報リストがいずれの携帯端末装置の履歴情報リストであるかを判別することができるように、第３携帯端末装置１５０へ送信する履歴情報リストの各履歴情報には履歴取得端末１２１１を付加しておく。
【０１１３】
図１３は、実施の形態２にかかる通信システム１００の履歴情報取得送信動作の一例を示すシーケンス図である。図１３に示す各ステップのうちのステップＳ１３０１〜Ｓ１３０３は、それぞれ図９に示したステップＳ９０１〜Ｓ９０３と同様であるため説明を省略する。ステップＳ１３０３の後に、近距離通信情報管理部３１２は、履歴送信トリガ部１１１１からトリガ信号が出力されるのを待つ。
【０１１４】
履歴送信トリガ部１１１１から近距離通信情報管理部３１２へトリガ信号が出力されると（ステップＳ１３０４）、ステップＳ１３０５へ進む。ステップＳ１３０５〜Ｓ１３０７は、それぞれ図９に示したステップＳ９０４〜Ｓ９０６と同様であるため説明を省略する。また、ステップＳ１３０８，Ｓ１３０９は、それぞれ図９に示したステップＳ９０８，Ｓ９０９と同様であるため説明を省略する。
【０１１５】
ステップＳ１３０７の後に、通信センタ１４０は、ステップＳ１３０６によって送信された履歴情報リストを第３携帯端末装置１５０へ転送する（ステップＳ１３１０）。つぎに、ステップＳ１３１０によって転送された履歴情報リストを、第３携帯端末装置１５０が備える表示画面に表示し（ステップＳ１３１１）、一連の処理を終了する。
【０１１６】
これにより、第３携帯端末装置１５０のユーザ（親）は、履歴送信トリガ部１１１１からトリガ信号が出力されるたびに、第１携帯端末装置１１０の履歴情報リストを閲覧することができる。このため、第３携帯端末装置１５０のユーザは、大きな労力を必要とすることなく第１携帯端末装置１１０の通信履歴を監視することができる。
【０１１７】
図１４は、実施の形態２にかかる通信システム１００の送受信ファイル送信動作の一例を示すシーケンス図である。図１４に示すステップＳ１４０１，Ｓ１４０２は、それぞれ図８に示したステップＳ８０１，Ｓ８０２と同様であるため説明を省略する。ステップＳ１４０２の後に、通信センタ１４０が、第１携帯端末装置１１０の送受信ファイルの取得権限を第３携帯端末装置１５０が有するか否かの認証を行う（ステップＳ１４０３）。
【０１１８】
ステップＳ１４０３の認証は、図７のステップＳ７０２の認証と同様であるため詳細な説明を省略する。つぎに、ステップＳ１４０４へ進む。ステップＳ１４０４〜Ｓ１４１０は、それぞれ図８のステップＳ８０３〜Ｓ８０９と同様であるため説明を省略する。ここでは、履歴情報リストの送信時に第３携帯端末装置１５０の取得権限の認証を行わないため、送受信ファイルの送信時に第３携帯端末装置１５０の取得権限の認証を行う。
【０１１９】
このように、実施の形態２にかかる第１携帯端末装置１１０によれば、実施の形態１にかかる第１携帯端末装置１１０と同様の効果を奏するとともに、第１携帯端末装置１１０のユーザが操作を行うことなく、第２携帯端末装置１３０（不特定の端末装置）との通信の履歴情報を第３携帯端末装置１５０（特定の通信装置）へ自動的に送信することができる。このため、第３携帯端末装置１５０のユーザは、大きな労力を必要とすることなく第１携帯端末装置１１０の通信履歴を監視することができる。
【０１２０】
（実施の形態３）
図１５は、実施の形態３にかかる通信システム１００の機能的構成を示すブロック図である。図１５において、図３に示した構成と同様の構成については同一の符号を付して説明を省略する。図１５に示すように、第１携帯端末装置１１０は、図３に示した構成に加えて近距離通信制限部１５１１（制限手段）を備えている。
【０１２１】
実施の形態３にかかる通信システム１００は、実施の形態１にかかる通信システム１００と同様に、履歴情報取得動作（図６または図９参照）、履歴情報送信動作（図７または図１０参照）および送受信ファイル送信動作（図８参照）を行う。第３携帯端末装置１５０の入力部３５１には、通信制限要求信号が入力される。
【０１２２】
たとえば、第３携帯端末装置１５０のユーザは、履歴情報送信動作によって履歴情報リストを閲覧し、または、送受信ファイル送信動作によって送受信ファイルを閲覧することによって、第１携帯端末装置１１０による好ましくない近距離通信を発見した場合に、第３携帯端末装置１５０の入力部３５１に対して通信制限要求信号を入力する。
【０１２３】
通信制限要求信号には、制限要求先の携帯端末装置（ここでは第１携帯端末装置１１０）を特定する情報と、通信制限の条件を示す情報が格納されている。通信制限の条件とは、たとえば、通信が制限される第１携帯端末装置１１０の通信相手の端末装置や、送受信が可能なファイルのサイズの上限や、これらの組み合わせなどである。
【０１２４】
たとえば、ユーザに対して、制限要求先の携帯端末装置および通信制限の条件の選択肢を出力部３５４によって複数表示し、いずれの携帯端末装置に対していずれの通信制限の条件を与えるかを通信制限コマンドとして入力部３５１から入力させる。入力部３５１は、ユーザの操作によって入力された通信制限コマンドを管理部３５２へ出力する。
【０１２５】
管理部３５２は、入力部３５１から出力された通信制限コマンドに基づいて、制限要求先の携帯端末装置を特定する情報と、通信制限の条件を示す情報と、を格納した通信制限要求信号をネットワーク通信部３５３へ出力する。ネットワーク通信部３５３は、管理部３５２から出力された通信制限要求信号を通信センタ１４０へ送信する。
【０１２６】
通信センタ１４０のネットワーク通信部３４１は、第３携帯端末装置１５０から通信制限要求信号を受信する。ネットワーク通信部３４１は、受信した通信制限要求信号を管理部３４２へ出力する。また、ネットワーク通信部３４１は、管理部３４２から出力された通信制限要求信号を第１携帯端末装置１１０へ送信する。
【０１２７】
管理部３４２は、ネットワーク通信部３４１から通信制限要求信号が出力されると、通信制限要求信号の送信元が、通信制限要求信号の制限要求先の携帯端末装置の通信を制限する通信制限権限のある通信装置として登録されているかの認証を行う。具体的には、記憶部３４３に、制限要求先となる端末装置と、その端末装置の通信を制限する通信制限権限を有する通信装置と、が対応付けて記憶されている。
【０１２８】
管理部３４２は、記憶部３４３において、通信制限要求信号の制限要求先と、通信制限要求信号の送信元と、が対応付けられているか否かを判断する。制限要求先と送信元が対応付けられている場合は、管理部３４２は、制限要求先（ここでは第１携帯端末装置１１０）を宛先とする通信制限要求信号をネットワーク通信部３４１へ出力する。
【０１２９】
一方、制限要求先と送信元が対応付けられていない場合は、管理部３４２は、通信制限要求信号をネットワーク通信部３４１へ出力しない。この場合は、ネットワーク通信部３４１を介して第３携帯端末装置１５０へエラーメッセージを送信してもよい。第３携帯端末装置１５０は、受信したエラーメッセージを、ネットワーク通信部３５３、管理部３５２を介して出力部３５４から出力する。
【０１３０】
第１携帯端末装置１１０のネットワーク通信部３１４は、通信センタ１４０から送信された通信制限要求信号を受信する。ネットワーク通信部３１４は、受信した通信制限要求信号を近距離通信制限部１５１１へ出力する。近距離通信制限部１５１１は、ネットワーク通信部３１４から出力された通信制限要求信号に格納された通信制限の条件を示す情報を第１携帯端末装置１１０の内部メモリ（たとえば記憶部３１３）に記憶させる。
【０１３１】
近距離通信部３１１は、近距離通信を実行する前に、通信相手（ここでは近距離通信部３３１）との間で近距離通信準備を行う。近距離通信準備とは、互いの通信状態を確認し、実行する予定の通信内容を互いに通知し合う処理である。近距離通信部３１１は、近距離通信準備において通知し合った通信内容を近距離通信制限部１５１１へ通知する。
【０１３２】
近距離通信部３１１は、近距離通信制限部１５１１へ通信内容を通知した結果、近距離通信制限部１５１１から通信許可通知が出力された場合に実行予定の近距離通信を行う。一方、近距離通信部３１１は、近距離通信制限部１５１１から通信不許可通知が出力された場合は、実行予定の近距離通信を中止する。
【０１３３】
近距離通信制限部１５１１は、実行予定の通信内容が近距離通信部３１１から通知されると、近距離通信部３１１から通知された通信内容が、内部メモリに記憶させてある通信制限の条件と一致するか否かを判断する。近距離通信制限部１５１１は、通信内容が通信制限の条件と一致した場合は通信不許可通知を近距離通信部３１１へ出力し、一致しない場合は通信許可通知を近距離通信部３１１へ出力する。
【０１３４】
たとえば、内部メモリに記憶させてある通信制限の条件が、「通信相手が端末装置Ａ」かつ「送受信が可能なファイルサイズは１ｋＢｉｔｅ以下」であるとする。そして、近距離通信部３１１から通知された通信内容が、「通信相手が端末装置Ａ」であり、かつ「送受信するファイルサイズは１００ｋＢｉｔｅ」である場合は、近距離通信制限部１５１１は、通信不許可通知を近距離通信部３１１へ出力する。
【０１３５】
また、たとえば、近距離通信部３１１から通知された通信内容が、「通信相手が端末装置Ｂ」であり、かつ「送受信するファイルサイズは１００ｋＢｉｔｅ」である場合は、近距離通信制限部１５１１は、通信許可通知を近距離通信部３１１へ出力する。また、たとえば、近距離通信部３１１から通知された通信内容が、「通信相手が端末装置Ａ」であり、かつ「送受信するファイルサイズは１００Ｂｉｔｅ」である場合は、近距離通信制限部１５１１は、通信許可通知を近距離通信部３１１へ出力する。
【０１３６】
ここでは、通信制限の条件が「通信相手が端末装置Ａ」かつ「送受信が可能なファイルサイズは１ｋＢｉｔｅ以下」である場合について説明したが、通信制限の条件は通信相手やファイルサイズに限られない。たとえば、通信制限の条件を、「特定の時間帯」や、「特定の地域」などにしてもよい。また、通信制限の条件を「すべての近距離通信」にすれば、第１携帯端末装置１１０によるすべての近距離通信を禁止することができる。
【０１３７】
また、通信制限の条件を「ファイルのサイズの上限」にしてもよい。通信制限の条件を「特定の時間帯」「特定の地域」「ファイルのサイズの上限」などにすれば、第１携帯端末装置１１０のユーザに知られることなく、近距離通信の制限を行うことも可能である。これにより、第１携帯端末装置１１０のユーザ（子供）と第３携帯端末装置１５０のユーザ（親）の関係を悪化させることなく近距離通信の制限を行うことができる。
【０１３８】
図１６は、図１５に示した近距離通信制限部１５１１が設定する情報の一例を示す図である。テーブル１６００は、図１５に示した近距離通信制限部１５１１が設定する制限モードの一例である。テーブル１６００には、通信制限ＯＮ／ＯＦＦ情報１６１１と、通信制限端末１６１２と、ファイルサイズ上限１６１３と、が含まれている。
【０１３９】
通信制限ＯＮ／ＯＦＦ情報１６１１は、近距離通信部３１１による近距離通信に対する制限を設定するか、解除するかを示す情報である。通信制限端末１６１２は、近距離通信部３１１との通信が制限される端末装置（第２携帯端末装置１３０など）を示す情報である。ファイルサイズ上限１６１３は、通信制限端末１６１２に設定された端末装置との間でネットワーク通信部３１４が送受信することができるファイルのサイズの上限である。
【０１４０】
近距離通信制限部１５１１は、ネットワーク通信部３１４から通信制限要求信号が出力されると、通信制限ＯＮ／ＯＦＦ情報１６１１をＯＮに設定し、通信制限要求信号に格納されている情報が示す制限対象の端末装置を通信制限端末１６１２に設定する。
【０１４１】
また、ここでは、通信制限要求信号には、通信制限の条件として、ネットワーク通信部３１４が送受信することができるファイルのサイズの上限が格納されているとする。近距離通信制限部１５１１は、通信制限要求信号に格納されている情報が示す通信制限の条件をファイルサイズ上限１６１３に設定する。
【０１４２】
なお、通信制限要求信号には、通信制限を解除する旨の情報が格納されていてもよい。通信制限を解除する旨の情報が格納された通信制限要求信号がネットワーク通信部３１４から出力された場合は、近距離通信制限部１５１１は、通信制限ＯＮ／ＯＦＦ情報１６１１をＯＦＦに設定し、近距離通信部３１１の近距離通信の制限を解除する。
【０１４３】
図１７は、実施の形態３にかかる通信システム１００の通信動作の一例を示すシーケンス図である。まず、履歴情報送信動作によって履歴情報リストを閲覧し、または、送受信ファイル送信動作によって送受信ファイルを閲覧することによって第１携帯端末装置１１０による好ましくない近距離通信を発見した第３携帯端末装置１５０のユーザは、制限要求先の携帯端末装置とともに通信制限の条件を指定する（ステップＳ１７０１）。
【０１４４】
つぎに、ステップＳ１７０１によって指定された制限要求先の携帯端末装置を示す情報と、通信制限の条件を示す情報と、を格納した通信制限要求依頼信号を、第３携帯端末装置１５０が通信センタ１４０へ送信する（ステップＳ１７０２）。つぎに、通信センタ１４０が、第１携帯端末装置１１０に対する通信制限権限を第３携帯端末装置１５０が有するか否かの認証を行う（ステップＳ１７０３）。
【０１４５】
ここでは、第１携帯端末装置１１０に対する通信制限権限を第３携帯端末装置１５０が有するとする。つぎに、通信センタ１４０が、ステップＳ１７０２によって送信された通信制限要求依頼信号に格納されている通信制限の条件を示す情報を格納した通信制限要求信号を、通信制限要求依頼信号に格納されている情報が示す通信制限対象の携帯端末装置（ここでは第１携帯端末装置１１０）へ送信する（ステップＳ１７０４）。
【０１４６】
つぎに、ステップＳ１７０４によって送信された通信制限要求信号を、ネットワーク通信部３１４が近距離通信制限部１５１１へ出力する（ステップＳ１７０５）。つぎに、近距離通信制限部１５１１が、ステップＳ１７０５によって出力された通信制限要求信号に格納されている情報が示す通信制限の条件を設定する（ステップＳ１７０６）。
【０１４７】
この後に、近距離通信部３１１と第２携帯端末装置１３０との間で近距離通信準備を行う（ステップＳ１７０７）とする。つぎに、近距離通信部３１１は、ステップＳ１７０７によって行われた近距離通信準備で通知し合った、実行予定の通信内容を近距離通信制限部１５１１へ通知する（ステップＳ１７０８）。
【０１４８】
つぎに、近距離通信制限部１５１１は、ステップＳ１７０６によって設定された通信制限の条件と、ステップＳ１７０８によって通知された通信内容と、を比較する（ステップＳ１７０９）。通信内容が制限モードの条件に合致した場合は、近距離通信制限部１５１１は、通信不許可通知を近距離通信部３１１へ出力して一連の処理を終了する。ここでは、通信内容が制限モードの条件に合致しない場合について説明する。
【０１４９】
近距離通信制限部１５１１は、近距離通信部３１１へ通信許可通知を出力する（ステップＳ１７１０）。つぎに、近距離通信部３１１は、第２携帯端末装置１３０との間で近距離通信を行い（ステップＳ１７１１）、一連の処理を終了する。これにより、第３携帯端末装置１５０のユーザは、第１携帯端末装置１１０による好ましくない近距離通信を発見した場合に、第１携帯端末装置１１０の近距離通信を強制的に制限することができる。
【０１５０】
このように、実施の形態３にかかる第１携帯端末装置１１０によれば、実施の形態１にかかる第１携帯端末装置１１０と同様の効果を奏するとともに、第１携帯端末装置１１０の近距離通信部３１１による近距離通信を、第１携帯端末装置１１０のユーザの意志にかかわらず、第３携帯端末装置１５０のユーザによって強制的に制限することができる。
【０１５１】
これにより、第３携帯端末装置１５０のユーザが第１携帯端末装置１１０による好ましくない近距離通信を発見した場合に、第１携帯端末装置１１０による近距離通信を迅速に停止させることが可能になる。また、第１携帯端末装置１１０のユーザに対するペナルティとして、第１携帯端末装置１１０による通信内容を制限することも可能になる。
【０１５２】
なお、実施の形態３においては、実施の形態１にかかる通信システム１００を基本構成とし、図３に示した第１携帯端末装置１１０に近距離通信制限部１５１１を設ける構成について説明したが、実施の形態２にかかる通信システム１００を基本構成とし、図１１に示した第１携帯端末装置１１０に近距離通信制限部１５１１を設ける構成にしてもよい。
【０１５３】
また、上述した各実施の形態においては、第１携帯端末装置１１０が通信センタ１４０を介して第３携帯端末装置１５０と通信を行う構成について説明したが、第３携帯端末装置１５０に近距離通信を行う近距離通信部を設け、第１携帯端末装置１１０と第３携帯端末装置１５０の間で直接通信を行う構成にしてもよい。
【０１５４】
この場合は、上述した履歴要求信号、履歴情報リスト、ファイル要求信号、送受信ファイルおよび通信制限要求信号は、第１携帯端末装置１１０と第３携帯端末装置１５０の間で直接送受信される。また、上述した第３携帯端末装置１５０の取得権限の認証は第１携帯端末装置１１０によって行われる。第１携帯端末装置１１０は、第３携帯端末装置１５０が取得権限を有することを確認した場合にのみ履歴情報リストや送受信ファイルを第３携帯端末装置１５０へ送信する。
【０１５５】
また、本実施の形態で説明した履歴送信方法は、あらかじめ用意されたプログラムをパーソナルコンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な媒体であってもよい。
【０１５６】
また、本実施の形態で説明した第１携帯端末装置１１０は、スタンダードセルやストラクチャードＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの特定用途向けＩＣ（以下、単に「ＡＳＩＣ」と称す。）やＦＰＧＡなどのＰＬＤ（Ｐｒｏｇｒａｍｍａｂｌｅ  Ｌｏｇｉｃ  Ｄｅｖｉｃｅ）によっても実現することができる。
【０１５７】
具体的には、たとえば、上述した第１携帯端末装置１１０の近距離通信部３１１、近距離通信情報管理部３１２、記憶部３１３およびネットワーク通信部３１４をＨＤＬ記述によって機能定義し、そのＨＤＬ記述を論理合成してＡＳＩＣやＰＬＤに与えることにより、第１携帯端末装置１１０を製造することができる。上述した実施の形態に関し、さらに以下の付記を開示する。
【０１５８】
（付記１）特定の通信装置と通信可能な携帯端末装置において、
不特定の端末装置との通信の履歴情報を取得する取得手段と、
前記取得手段によって取得された履歴情報を記憶する記憶手段と、
ユーザ設定不能な履歴情報送信条件を満たした場合に、前記記憶手段によって記憶された履歴情報を読み出す読出手段と、
前記読出手段によって読み出された履歴情報を前記特定の通信装置へ送信する送信手段と、
を備えることを特徴とする携帯端末装置。
【０１５９】
（付記２）前記取得手段は、前記不特定の端末装置と直接データを送受信する近距離通信の履歴情報を取得することを特徴とする付記１に記載の携帯端末装置。
【０１６０】
（付記３）前記履歴情報送信条件は、履歴要求信号が受信されることであることを特徴とする付記１または２に記載の携帯端末装置。
【０１６１】
（付記４）前記履歴情報送信条件は、現在時刻があらかじめ設定された所定時刻になることであることを特徴とする付記１または２に記載の携帯端末装置。
【０１６２】
（付記５）前記履歴情報送信条件は、あらかじめ設定された所定のユーザ操作が検出されることであることを特徴とする付記１または２に記載の携帯端末装置。
【０１６３】
（付記６）前記所定のユーザ操作は、前記不特定の端末装置との間で送受信された送受信ファイルまたは前記履歴情報の隠蔽操作であることを特徴とする付記５に記載の携帯端末装置。
【０１６４】
（付記７）前記履歴情報送信条件は、前記履歴情報のあらたな記憶が検出されることであることを特徴とする付記１または２に記載の携帯端末装置。
【０１６５】
（付記８）前記記憶手段によって前記履歴情報が所定回数記憶されることであることを特徴とする付記１または２に記載の携帯端末装置。
【０１６６】
（付記９）前記特定の通信装置からのファイル要求信号を受信する受信手段を備え、
前記取得手段は、前記不特定の端末装置との間で送受信された送受信ファイルを前記履歴情報とともに取得し、
前記記憶手段は、前記取得手段によって取得された送受信ファイルを前記履歴情報と対応付けて記憶し、
前記読出手段は、前記受信手段によって前記ファイル要求信号が受信された場合に、前記記憶手段によって記憶された送受信ファイルを読み出し、
前記送信手段は、前記読出手段によって読み出された送受信ファイルを前記特定の通信装置へ送信することを特徴とする付記１〜８のいずれか一つに記載の携帯端末装置。
【０１６７】
（付記１０）前記記憶手段によって記憶された履歴情報のうちの、前記送信手段によって送信された履歴情報を消去する消去手段を備えることを特徴とする付記１または２に記載の携帯端末装置。
【０１６８】
（付記１１）前記特定の通信装置からの通信制限要求信号を受信する受信手段と、
前記受信手段によって受信された通信制限要求信号に基づいて前記不特定の端末装置との通信を制限する制限手段を備えることを特徴とする付記１〜１０のいずれか一つに記載の携帯端末装置。
【０１６９】
（付記１２）前記送信手段は、ユーザインターフェースを介さずに前記履歴情報を送信することを特徴とする付記１〜１１のいずれか一つに記載の携帯端末装置。
【０１７０】
（付記１３）特定の通信装置と通信可能な携帯端末装置を、
不特定の端末装置との通信の履歴情報を取得する取得手段、
前記取得手段によって取得された履歴情報を記憶する記憶手段、
ユーザ設定不能な履歴情報送信条件を満たした場合に、前記記憶手段によって記憶された履歴情報を読み出す読出手段、
前記読出手段によって読み出された履歴情報を前記特定の通信装置へ送信する送信手段、
として機能させることを特徴とする履歴情報送信プログラム。
【０１７１】
（付記１４）特定の通信装置と通信可能な携帯端末装置の履歴情報送信方法において、
不特定の端末装置との通信の履歴情報を取得する取得工程と、
前記取得工程によって取得された履歴情報を記憶する記憶工程と、
ユーザ設定不能な履歴情報送信条件を満たした場合に、前記記憶工程によって記憶された履歴情報を読み出す読出工程と、
前記読出工程によって読み出された履歴情報を前記特定の通信装置へ送信する送信工程と、
を含むことを特徴とする履歴情報送信方法。
【０１７２】
（付記１５）不特定の端末装置との通信の履歴情報を取得し、ユーザ設定不能な履歴情報送信条件を満たした場合に、取得した履歴情報を特定の通信装置へ送信する携帯端末装置と、
前記携帯端末装置によって送信された履歴情報を受信し、受信した履歴情報を出力する特定の通信装置と、
を備えることを特徴とする通信システム。
【０１７３】
（付記１６）不特定の端末装置と携帯端末装置との通信の履歴情報を前記携帯端末装置によって取得する取得工程と、
ユーザ設定不能な履歴情報送信条件を満たした場合に、前記取得工程によって取得された履歴情報を前記携帯端末装置から特定の通信装置へ送信する送信工程と、
前記送信工程によって送信された履歴情報を前記特定の通信装置によって受信する受信工程と、
前記受信工程によって受信された履歴情報を前記特定の通信装置によって出力する出力工程と、
を含むことを特徴とする通信方法。
【図面の簡単な説明】
【０１７４】
【図１】通信システムの概要を示す図である。
【図２】図１に示した第１携帯端末装置１１０のハードウェア構成を示すブロック図である。
【図３】実施の形態１にかかる通信システム１００の機能的構成を示すブロック図である。
【図４】図３に示した記憶部３１３に記憶される情報の一例を示す図である。
【図５】図４に示した履歴情報の具体例を示す図である。
【図６】実施の形態１にかかる通信システム１００の履歴情報取得動作の一例を示すシーケンス図である。
【図７】実施の形態１にかかる通信システム１００の履歴情報送信動作の一例を示すシーケンス図である。
【図８】実施の形態１にかかる通信システム１００の送受信ファイル送信動作の一例を示すシーケンス図である。
【図９】図６に示した履歴情報取得動作の他の例を示すシーケンス図である。
【図１０】図７に示した履歴情報送信動作の他の例を示すシーケンス図である。
【図１１】実施の形態２にかかる通信システム１００の機能的構成を示すブロック図である。
【図１２】図１１に示した記憶部３１３に記憶される情報の一例を示す図である。
【図１３】実施の形態２にかかる通信システム１００の履歴情報取得送信動作の一例を示すシーケンス図である。
【図１４】実施の形態２にかかる通信システム１００の送受信ファイル送信動作の一例を示すシーケンス図である。
【図１５】実施の形態３にかかる通信システム１００の機能的構成を示すブロック図である。
【図１６】図１５に示した近距離通信制限部１５１１が設定する情報の一例を示す図である。
【図１７】実施の形態３にかかる通信システム１００の通信動作の一例を示すシーケンス図である。
【符号の説明】
【０１７５】
１００  通信システム
１１０  第１携帯端末装置
１２０  ＰＣ端末装置
１３０  第２携帯端末装置
１４０  通信センタ
１５０  第３携帯端末装置
２２０  ネットワーク
４００，１６００  テーブル
【図１】
2010004333.tif 000003
【図２】
2010004333.tif 000004
【図３】
2010004333.tif 000005
【図４】
2010004333.tif 000006
【図５】
2010004333.tif 000007
【図６】
2010004333.tif 000008
【図７】
2010004333.tif 000009
【図８】
2010004333.tif 000010
【図９】
2010004333.tif 000011
【図１０】
2010004333.tif 000012
【図１１】
2010004333.tif 000013
【図１２】
2010004333.tif 000014
【図１３】
2010004333.tif 000015
【図１４】
2010004333.tif 000016
【図１５】
2010004333.tif 000017
【図１６】
2010004333.tif 000018
【図１７】
2010004333.tif 000019